(57)【要約】【課題】着用性を高めることが可能になる、衣服を提供すること。【解決手段】衣服１は、前身頃１１の左側部分１１ａに設けられた取付部２０と、取付部２０に少なくとも１つ以上取り付けられる第１接続部３０と、前身頃１１の右側部分１１ｂに少なくとも１つ以上設けられる第２接続部４０と、前身頃１１の左側部分１１ａに設けられる比翼部５０であって、第１接続部３０と第２接続部４０とが接続されている接続状態において、第１接続部３０及び第２接続部４０が外部に露出しないように覆うための比翼部５０と、を備え、正面方向から見て取付部２０の一部が外部に露出するように、取付部２０を比翼部５０よりも側方に向けて突出させて構成した。【選択図】図１
0003229294.tif 000002
【実用新案登録請求の範囲】
【請求項１】
前身頃と後身頃とを有する上衣を備えた衣服であって、
前記前身頃の左側部分又は右側部分のいずれか一方に設けられた取付部であって、第１接続部を取り付けるための取付部と、
前記取付部に少なくとも１つ以上取り付けられる前記第１接続部と、
前記前身頃の左側部分又は右側部分のいずれか他方に少なくとも１つ以上設けられる第２接続部であって、前記第１接続部と着脱自在に接続可能な第２接続部と、
前記前身頃の左側部分又は右側部分のいずれか一方に設けられる比翼部であって、前記第１接続部と前記第２接続部とが接続されている接続状態において、前記第１接続部及び前記第２接続部が外部に露出しないように覆うための比翼部と、を備え、
正面方向から見て前記取付部の一部が外部に露出するように、前記取付部を前記比翼部よりも側方に向けて突出させて構成した、
衣服。
【請求項２】
前記取付部を、前記比翼部と識別可能に構成した、
請求項１に記載の衣服。
【請求項３】
前記取付部の外面部分の色彩を、前記比翼部の色彩と異ならせた、
請求項２に記載の衣服。
【請求項４】
前記取付部の内面部分を、前記取付部の外面部分から前記前身頃又は当該衣服の着用者への色移りを抑制可能に構成した、
請求項３に記載の衣服。
【請求項５】
前記取付部と前記比翼部との相互間に隙間が形成されるように、前記取付部及び前記比翼部を構成した、
請求項１から４のいずれか一項に記載の衣服。
【考案の詳細な説明】
【技術分野】
【０００１】
本考案は、衣服に関する。
【背景技術】
【０００２】
従来から、前身頃の右側部分と左側部分との重なり状態を維持するためのボタン及びボタン孔が外部に露出することを抑制可能なドクターコートが提案されている。このようなドクターコートとしては、例えば、前身頃の右側部分に取り付けられた取付部に設けられたボタン孔と、前身頃の左側部分に設けられたボタンと、前身頃の右側部分において取付部全体を覆うように設けられた比翼部とを備えるドクターコートが提案されている（例えば、特許文献１参照）。
【先行技術文献】
【特許文献】
【０００３】
【特許文献１】特開２０１２−２４６５８４号公報
【考案の概要】
【考案が解決しようとする課題】
【０００４】
ここで、上記従来のドクターコートにおいては、上述したように、取付部全体が比翼部によって覆われているので、着用者が当該ドクターコートを着用した状態では比翼部と取付部との間に指を入れにくいため、ボタンとボタン孔とが接続しづらいことから、ドクターコートの如き衣服の着用性を高める観点からは改善の余地があった。
【０００５】
本考案は、上記に鑑みてなされたものであって、着用性を高めることが可能になる、衣服を提供することを目的とする。
【課題を解決するための手段】
【０００６】
上述した課題を解決し、目的を達成するために、請求項１に記載の衣服は、前身頃と後身頃とを有する上衣を備えた衣服であって、前記前身頃の左側部分又は右側部分のいずれか一方に設けられた取付部であって、第１接続部を取り付けるための取付部と、前記取付部に少なくとも１つ以上取り付けられる前記第１接続部と、前記前身頃の左側部分又は右側部分のいずれか他方に少なくとも１つ以上設けられる第２接続部であって、前記第１接続部と着脱自在に接続可能な第２接続部と、前記前身頃の左側部分又は右側部分のいずれか一方に設けられる比翼部であって、前記第１接続部と前記第２接続部とが接続されている接続状態において、前記第１接続部及び前記第２接続部が外部に露出しないように覆うための比翼部と、を備え、正面方向から見て前記取付部の一部が外部に露出するように、前記取付部を前記比翼部よりも側方に向けて突出させて構成した。
【０００７】
請求項２に記載の衣服は、請求項１に記載の衣服において、前記取付部を、前記比翼部と識別可能に構成した。
【０００８】
請求項３に記載の衣服は、請求項２に記載の衣服において、前記取付部の外面部分の色彩を、前記比翼部の色彩と異ならせた。
【０００９】
請求項４に記載の衣服は、請求項３に記載の衣服において、前記取付部の内面部分を、前記取付部の外面部分から前記前身頃又は当該衣服の着用者への色移りを抑制可能に構成した。
【００１０】
請求項５に記載の衣服は、請求項１から４のいずれか一項に記載の衣服において、前記取付部と前記比翼部との相互間に隙間が形成されるように、前記取付部及び前記比翼部を構成した。
【考案の効果】
【００１１】
請求項１に記載の衣服によれば、正面方向から見て取付部の一部が外部に露出するように、取付部を比翼部よりも側方に向けて突出させて構成したので、着用者が衣服を着用した着用状態において、着用者が取付部における外部に露出した部分を介して取付部と比翼部との相互間に指を入れやすくなる。よって、従来技術（取付部を外部に露出させない技術）に比べて、着用者が第１接続部と第２接続部との着脱を容易に行うことができ、衣服の着用性を高めることができる。
【００１２】
請求項２に記載の衣服によれば、取付部を、比翼部と識別可能に構成したので、上記着用状態において着用者が取付部と比翼部とを確実に識別でき、着用者が取付部と比翼部との相互間に指を一層入れやすくなる。
【００１３】
請求項３に記載の衣服によれば、取付部の外面部分の色彩を、比翼部の色彩と異ならせたので、上記着用状態において着用者が取付部と比翼部とを確実に視認でき、着用者が取付部と比翼部との相互間に指をさらに一層入れやすくなる。
【００１４】
請求項４に記載の衣服によれば、取付部の内面部分を、取付部の外面部分から前身頃又は当該衣服の着用者への色移りを抑制可能に構成したので、上記着用状態において取付部の外面部分から前身頃又は着用者への色移りを抑制でき、衣服の着用性を一層高めることができる。
【００１５】
請求項５に記載の衣服によれば、取付部と比翼部との相互間に隙間が形成されるように、取付部及び比翼部を構成したので、取付部と比翼部との相互間に隙間を形成でき、上記着用状態において着用者が取付部と比翼部との相互間に指をスムーズに入れることができる。
【図面の簡単な説明】
【００１６】
【図１】本考案の実施の形態に係る衣服の構成を示す正面図である。
【図２】図１の衣服の背面図である。
【図３】図１のＡ−Ａ矢視断面図である（一部図示省略）。
【考案を実施するための形態】
【００１７】
以下に添付図面を参照して、この考案に係る衣服の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本考案が限定されるものではない。
【００１８】
〔Ｉ〕実施の形態の基本的概念
最初に、実施の形態の基本的概念について説明する。実施の形態は、概略的に、前身頃と後身頃とを有する上衣を備えた衣服に関するものである。
【００１９】
ここで、「着用者」とは、医療業務に従事する従業者を意味し、例えば、医師、看護師等を含む概念である。また、「医療業務」とは、医療に関する業務を意味し、例えば、診療業務、救急業務等を含む概念である。
【００２０】
また、「衣服」とは、着用者が着用する衣類であり、医療用（一例として、診療用、手術用等）の上衣（一例として、外衣（ドクターコート、ジャケット等）、シャツ等）や上下繋ぎ式の衣服等（一例として、ワンピース等）を含む概念である。
【００２１】
以下、実施の形態では、衣服を、医師が診察又は治療を行う際に着用するドクターコートに適用した場合について説明する。
【００２２】
〔ＩＩ〕実施の形態の具体的内容
次に、実施の形態の具体的内容について説明する。
【００２３】
（構成）
最初に、実施の形態に係る衣服の構成について説明する。図１は、本考案の実施の形態に係る衣服の構成を示す正面図である。図２は、図１の衣服の背面図である。図３は、図１のＡ−Ａ矢視断面図である（一部図示省略）。
【００２４】
以下の説明では、図１のＸ方向を左右方向（着用者（具体的には、医師）から見た方向を基準とするものとし、−Ｘ方向を右方向、＋Ｘ方向を左方向）、図１のＹ方向を上下方向（＋Ｙ方向を上方向、−Ｙ方向を下方向）、Ｘ方向及びＹ方向に直交する方向を前後方向（図１の紙面の手前側に至る方向を前方向、図１の紙面の奥側に至る方向を後方向）と称する。
【００２５】
衣服１は、図１、図２に示すように、衣服本体１０、取付部２０、第１接続部３０、第２接続部４０、比翼部５０、第１ポケット部６１、第２右側ポケット部６２、及び第２左側ポケット部６３を備えている。
【００２６】
ここで、着用者が衣服１を着用している「着用状態」とは、実施の形態では、「第１着用状態」と、「第２着用状態」とを含む概念である。このうち、「第１着用状態」とは、すべての第１接続部３０と第２接続部４０とが接続されていないものの、着用者が衣服１を着用している状態を意味する。また、「第２着用状態」とは、すべての第１接続部３０と第２接続部４０とが接続されていながら、着用者が衣服１を着用している状態を意味する。
【００２７】
（構成−衣服本体）
図１に戻り、衣服本体１０は、衣服１の基本構造体である。この衣服本体１０は、着用者の上半身及び下半身を覆うことが可能な略中空状体にて形成されている。具体的には、以下では、説明の都合上、衣服本体１０を５つの領域に区分して説明する。
【００２８】
すなわち、図１、図２に示すように、この衣服本体１０は、着用者の肩部から股部に至る範囲を覆う前身頃１１であって、相互に分離されて構成された左側部分１１ａ及び右側部分１１ｂを有する前身頃１１と、着用者の肩部から臀部に至る範囲を覆う後身頃１２と、着用者の右上腕を覆う右袖部１３と、着用者の左上腕を覆う左袖部１４と、襟口部１６（開口）から立ち上げられた襟部１５とを備えている。
【００２９】
また、実施の形態では、前身頃１１及び後身頃１２の各々の下端部には、裾口部１７（開口）が設けられていると共に、右袖部１３及び左袖部１４の各々の先端部には、袖口部１８（開口）が設けられている。また、後身頃１２の下端部及びその近傍には、下側開き部１９が設けられている。
【００３０】
また、衣服本体１０の材質については任意であるが、例えば、着用者が動きやすい材質で形成されることが望ましく、一例として、軽量且つ伸縮性を有する公知の織物素材や、表地をポリエステル材とし、裏地を綿材（又はキュプラ材）とした公知の多層ニット素材、又はこれらを組み合わせたもの等にて形成されてもよい。
【００３１】
なお、以下では、衣服本体１０の面のうち、着用者の肌面に対向する側の面を「衣服内面」と称し、着用者の肌面に対向する側とは反対側の側面を「衣服外面」と称する。
【００３２】
（構成−取付部）
取付部２０は、第１接続部３０を取り付けるためのものである。この取付部２０は、例えば公知の取付部用の生地材で構成されており、２層構造からなる長尺な平布状体で形成されている。具体的には、図１、図３に示すように、取付側外面部分２１（取付部２０の外面部分）と、取付側外面部分２１と接続された取付側内面部分２２であって、取付側外面部分２１よりも内側（具体的には、後方側）に位置する取付側内面部分２２（取付部２０の内面部分）とを備えている。
【００３３】
また、取付部２０は、前身頃１１の左側部分１１ａ又は右側部分１１ｂのいずれか一方に設けられている。具体的には、図１に示すように、左側部分１１ａの襟部１５の下端から下方に向けて配置されると共に、取付部２０の長手方向が上下方向に略沿うように配置され、左側部分１１ａに対して縫着等にて固定されている。
【００３４】
また、取付部２０の具体的な形状及び大きさについては任意であるが、実施の形態では以下の通りに設定している。
【００３５】
すなわち、取付部２０の正面形状については、略矩形状に設定している。ただし、これに限らず、例えば、略楕円形状に設定してもよい。
【００３６】
また、取付部２０の左右方向の長さについては、取付部２０と比翼部５０との間に着用者の指の少なくとも一部を入れることが可能な長さに設定しており、一例として、２ｃｍから３ｃｍ程度に設定している。ただし、これに限らず、例えば、２ｃｍ未満に設定してもよく、あるいは、３ｃｍを上回る長さに設定してもよい。
【００３７】
また、比翼部５０の上下方向の長さについては、左側部分１１ａの襟部１５の下端から着用者の股部の近傍に至る長さに設定しており、一例として、３０ｃｍから５０ｃｍ程度に設定している。ただし、これに限らず、例えば、３０ｃｍ未満に設定してもよく、あるいは、５０ｃｍを上回る長さに設定してもよい。なお、取付部２０の構成の詳細については、後述する。
【００３８】
（構成−第１接続部）
第１接続部３０は、第２接続部４０に着脱自在に接続されるものである。この第１接続部３０は、例えば公知の接続部材（実施の形態では、ボタン孔）で構成されており、取付部２０に１つ以上取り付けられている（図１では、３つ取り付けられている）。
【００３９】
具体的には、図１に示すように、３つの第１接続部３０が、取付部２０において相互に間隔を隔てて上下方向に沿って並設（形成）されている。
【００４０】
（構成−第２接続部）
第２接続部４０は、第１接続部３０と着脱自在に接続可能なものである。この第２接続部４０は、例えば公知の接続部材（実施の形態では、ボタン）で構成されており、前身頃１１の左側部分１１ａ又は右側部分１１ｂのいずれか他方に少なくとも１つ以上設けられている。
【００４１】
具体的には、図１に示すように、３つの第２接続部４０が、右側部分１１ｂにおいて、対応する第１接続部３０と接続可能となるように、相互に間隔を隔てて上下方向に沿って並設されている。
【００４２】
（構成−比翼部）
比翼部５０は、第１接続部３０と第２接続部４０とが接続されている接続状態において、第１接続部３０及び第２接続部４０が外部に露出しないように覆うためのものである。この比翼部５０は、例えば公知の比翼部用の生地材（一例として、前身頃１１と同一の材質の生地材）で構成されており、２層構造からなる長尺な平布状体で形成されている。具体的には、図１、図３に示すように、比翼側外面部分５１と、比翼側外面部分５１と接続された比翼側内面部分５２であって、比翼側外面部分５１よりも内側（具体的には、後方側）に位置する比翼側内面部分５２とを備えている。
【００４３】
また、比翼部５０は、前身頃１１の左側部分１１ａ又は右側部分１１ｂのいずれか一方に設けられている。具体的には、取付部２０よりも外側（具体的には、前側）において左側部分１１ａの襟部１５の下端の近傍から下方に向けて配置されると共に、比翼部５０の長手方向が上下方向に略沿うように配置され、左側部分１１ａに対して縫着等にて固定されている。
【００４４】
また、比翼部５０の具体的な形状及び大きさについては任意であるが、実施の形態では以下の通りに設定している。
【００４５】
すなわち、図１に示すように、比翼部５０の正面形状については、略矩形状に設定している。ただし、これに限らず、例えば、略楕円形状に設定してもよい。
【００４６】
また、比翼部５０の左右方向の長さについては、取付部２０の左右方向の長さよりも長く設定している。ただし、これに限らず、例えば、取付部２０の左右方向の長さと略同一に設定してもよい。
【００４７】
また、比翼部５０の上下方向の長さについては、取付部２０の上下方向の長さよりも長く設定している。ただし、これに限らず、例えば、取付部２０の上下方向の長さと略同一に設定してもよい。
【００４８】
また、比翼部５０の具体的な構成については任意であるが、実施の形態では、比翼部５０の先端部（図１では、右端部）に切欠部５３が設けられている。この切欠部５３は、比翼部５０の幅（具体的には、左右方向の長さ）よりも短い幅（例えば、０．５ｃｍ程度）で形成されており、比翼部５０の上端部の近傍から下端部の近傍にわたって設けられている。
【００４９】
また、比翼部５０の形成方法については任意であるが、実施の形態では、製造性の観点から、比翼部５０と前身頃１１の左側部分１１ａとを一体に形成している。ただし、これに限らず、例えば、比翼部５０と左側部分１１ａとを別体に形成して、比翼部５０を左側部分１１ａに対して縫着等にて固定してもよい。
【００５０】
（構成−第１ポケット部）
第１ポケット部６１は、収納物（図示省略）を収納可能なポケット部である。この第１ポケット部６１は、例えば公知のポケット構造（一例として、パッチポケット構造等）を用いて構成されており、図１に示すように、前身頃１１の左側部分１１ａの着用者の胸部と対応する部分に設けられ、左側部分１１ａに対して縫着等にて固定されている。
【００５１】
ここで、「収納物」とは、第１ポケット部３０（あるいは、第２右側ポケット部６２、第２左側ポケット部６３）に収納されるものであり、例えば、医療用ＰＨＳ、携帯電話、医療器具、文具等を含む概念である。
【００５２】
（構成−第２右側ポケット部）
第２右側ポケット部６２は、収納物を収納可能なポケット部である。この第２右側ポケット部６２は、例えば公知のポケット構造（一例として、２重（又は１重）のポケットを有する袋ポケット構造等）を用いて構成されており、図１に示すように、前身頃１１の右側部分１１ｂにおいて着用者の腰部と対応する部分に設けられ、右側部分１１ｂに対して縫着等にて固定されている。
【００５３】
（構成−第２左側ポケット部）
第２左側ポケット部６３は、収納物を収納可能なポケット部である。この第２左側ポケット部６３は、第２右側ポケット部６２と略同一に構成されており、図１に示すように、前身頃１１の左側部分１１ａにおいて着用者の腰部と対応する部分に設けられ、左側部分１１ａに対して縫着等にて固定されている。
【００５４】
（構成−取付部の構成の詳細）
次に、取付部２０の構成の詳細について説明する。
【００５５】
取付部２０の構成の詳細については任意であるが、実施の形態では以下に示す特徴を有する。なお、取付部２０は、特記する場合を除いて、任意の形状、方法、及び材質で製造することができる。
【００５６】
（構成−取付部の構成の詳細−第１の特徴）
まず、取付部２０の第１の特徴については、正面方向から見て取付部２０の一部が外部に露出するように、取付部２０は比翼部５０よりも側方（図１では、右方側）に向けて突出させて構成されている。
【００５７】
具体的には、図１、図３に示すように、取付部２０の先端部（図１では、右端部）が比翼部５０の先端部（図１では、右端部）と面一となるように、取付部２０は配置されている。また、取付部２０は、切欠部５３の上端部から下端部に至る範囲にわたって位置するように配置されている。
【００５８】
このような第１の特徴により、着用状態（具体的には、第１着用状態、第２着用状態）において、着用者が取付部２０における外部に露出した部分（すなわち、図１では、切欠部５３に対応する部分）を介して取付部２０と比翼部５０との相互間に指を入れやすくなる。よって、従来技術（取付部２０を外部に露出させない技術）に比べて、着用者が第１接続部３０と第２接続部４０との着脱を容易に行うことができ、衣服１の着用性を高めることができる。また、取付部２０の先端部と比翼部５０における切欠部５３以外の部分の先端部とを面一にでき、衣服１の意匠性を維持できる。
【００５９】
（構成−取付部の構成の詳細−第２の特徴）
次に、取付部２０の第２の特徴については、取付部２０は、比翼部５０と識別可能に構成されている。
【００６０】
具体的には、取付側外面部分２１の色彩が、比翼部５０の色彩と異ならせるように設定されている。より具体的には、取付側外面部分２１の色彩がネイビー色に設定され、比翼部５０の色彩が白色に設定されている。
【００６１】
このような第２の特徴により、着用状態において着用者が取付部２０と比翼部５０とを確実に識別でき、着用者が取付部２０と比翼部５０との相互間に指を一層入れやすくなる。特に、取付側外面部分２１の色彩を比翼部５０の色彩と異ならせるので、着用状態において着用者が取付部２０と比翼部５０とを確実に視認でき、着用者が取付部２０と比翼部５０との相互間に指をさらに一層入れやすくなる。
【００６２】
ただし、これに限らず、例えば、取付側外面部分２１の肌触りが、比翼部５０の肌触りと異ならせるように設定されてもよい。一例として、取付側外面部分２１の平滑度が、比翼部５０の平滑度よりも高く（又は低く）なるように設定されてもよい。これにより、着用状態において着用者が取付部２０と比翼部５０とを確実に触認でき、着用者が取付部２０と比翼部５０との相互間に指をさらに一層入れやすくなる。
【００６３】
（構成−取付部の構成の詳細−第３の特徴）
次に、取付部２０の第３の特徴については、取付側内面部分２２は、取付側外面部分２１から前身頃１１又は着用者への色移りを抑制可能に構成されている。
【００６４】
具体的には、取付側内面部分２２は、色移りしづらい生地材で形成されており、例えば、比翼部５０の生地材と略同一の生地材で形成されている。そして、取付側内面部分２２は、取付側外面部分２１の内面（具体的には、後面）全体を略覆うように設けられている。
【００６５】
このような第３の特徴により、着用状態において取付側外面部分２１から前身頃１１又は着用者への色移りを抑制でき、衣服１の着用性を一層高めることができる。
【００６６】
（構成−その他の構成）
また、衣服１のその他の構成については任意であるが、実施の形態では以下の通りに構成されている。
【００６７】
すなわち、まず、取付部２０と比翼部５０との相互間に隙間Ｇが形成されるように、取付部２０及び比翼部５０は構成されている。
【００６８】
具体的には、取付側外面部分２１と取付側内面部分２２とを接続する縫い目ＡＳ（以下、「取付側縫い目ＡＳ」と称する）の数と、比翼側外面部分５１と比翼側内面部分５２とを接続する縫い目ＷＳ（以下、「比翼側縫い目ＷＳ」と称する）の数とを異ならせることで、取付部２０の縫い縮み量と比翼部５０の縫い縮み量の違いによって上記隙間Ｇが生じるように構成されている。より具体的には、図３に示すように、取付部２０の上下方向の略全長にわたって設けられる取付側縫い目ＡＳの数が１つに設定され、比翼部５０の上下方向の略全長にわたって設けられる比翼側縫い目ＷＳの数が２つに設定されている。
【００６９】
さらに、取付部２０の先端部のうち第１接続部３０同士の間の部分の一部が、比翼部５０に対して縫着等にて固定されることで、上記隙間Ｇは第１接続部３０毎に仕切られており、より具体的には、図１に示すように、第１隙間Ｇ１、第２隙間Ｇ２、第３隙間Ｇ３、及び第４隙間Ｇ４が形成されている。
【００７０】
このような構成により、取付部２０と比翼部５０との相互間に隙間Ｇを形成でき、着用状態において着用者が取付部２０と比翼部５０との相互間に指をスムーズに入れることができる。また、上記隙間Ｇは第１接続部３０毎に仕切られていることで、各第１接続部３０に対応する隙間（第１隙間Ｇ１、第２隙間Ｇ２、第３隙間Ｇ３、及び第４隙間Ｇ４）を均一に形成しやすくなる。
【００７１】
また、第１接続部３０（ボタン孔）が、取付部２０と視認可能に構成されている。
【００７２】
具体的には、取付側外面部分２１又は取付側内面部分２２における各第１接続部３０の周辺部分の色彩が、当該周辺部分以外の部分の色彩と異ならせるように設定されている。より具体的には、取付側内面部分２２における上記周辺部分の色彩がネイビー色に設定され、取付側内面部分２２における上記周辺部分以外の部分の色彩が白色に設定されている。
【００７３】
このような構成により、第１接続部３０と取付部２０とを確実に視認でき、第１接続部３０と第２接続部４０との着脱をスムーズに行うことができる。
【００７４】
（衣服の作用）
続いて、このように構成された衣服１の作用について説明する。
【００７５】
この衣服１の作用は、第１着用状態の作用（以下、「第１作用」と称する）と、第２着用状態の作用（以下、「第２作用」と称する）とに大別される。
【００７６】
（衣服の作用−第１作用）
最初に、第１作用について説明する。
【００７７】
例えば、第１着用状態を第２着用状態に切り替えるために、まず、着用者が第１接続部３０又はその周辺部分を左手の指で摘まむ。具体的には、着用者が、取付部２０を見ながら取付部２０における外部に露出した部分を介して取付部２０と比翼部５０との相互間に左手の指を入れることにより、第１接続部３０又はその周辺部分を容易に摘まむことができる。
【００７８】
この場合において、取付側外面部分２１の色彩が比翼部５０の色彩と異なるので、着用者が取付部２０と比翼部５０とを確実に視認でき、取付部２０と比翼部５０との相互間に指をさらに入れやすくなる。また、取付部２０と比翼部５０との相互間に隙間Ｇ（第１隙間Ｇ１、第２隙間Ｇ２、第３隙間Ｇ３、及び第４隙間Ｇ４）が形成されているので、着用者が取付部２０と比翼部５０との相互間に指をスムーズに入れることができる。
【００７９】
次に、着用者が、第１接続部３０又はその周辺部分を左手の指で摘まんだ状態を維持しながら、第２接続部４０を右手の指で摘まむ。そして、着用者が、第１接続部３０等及び第２接続部４０を指で摘まんだ状態を維持しながら、第２接続部４０を第１接続部３０に嵌め合わせることにより、第１接続部３０と第２接続部４０とを接続することができる。
【００８０】
そして、上述した一連の工程をすべての第１接続部３０及び第２接続部４０に対して行われることにより、第１着用状態を第２着用状態に切り替えることができる。
【００８１】
（衣服の作用−第２作用）
次に、第２作用について説明する。
【００８２】
例えば、第２着用状態を第１着用状態に切り替えるために、まず、着用者が第２接続部４０を左手の指で摘まむ。具体的には、着用者が、取付部２０を見ながら取付部２０における外部に露出した部分を介して取付部２０と比翼部５０との相互間に左手の指を入れることにより、第２接続部４０を容易に摘まむことができる。
【００８３】
次に、着用者が、第２接続部４０を左手の指で摘まんだ状態を維持しながら（必要であれば、右手の指で第１接続部３０を摘まみながら）、第２接続部４０を第１接続部３０から外すことにより、第１接続部３０と第２接続部４０との接続を解除することができる。
【００８４】
そして、上述した一連の工程をすべての第１接続部３０及び第２接続部４０に対して行われることにより、第２着用状態を第１着用状態に切り替えることができる。
【００８５】
（実施の形態の効果）
このように実施の形態によれば、正面方向から見て取付部２０の一部が外部に露出するように、取付部２０を比翼部５０よりも側方に向けて突出させて構成したので、着用状態において、着用者が取付部２０における外部に露出した部分を介して取付部２０と比翼部５０との相互間に指を入れやすくなる。よって、従来技術（取付部２０を外部に露出させない技術）に比べて、着用者が第１接続部３０と第２接続部４０との着脱を容易に行うことができ、衣服１の着用性を高めることができる。
【００８６】
また、取付部２０を、比翼部５０と識別可能に構成したので、着用状態において着用者が取付部２０と比翼部５０とを確実に識別でき、着用者が取付部２０と比翼部５０との相互間に指を一層入れやすくなる。
【００８７】
また、取付側外面部分２１の色彩を、比翼部５０の色彩と異ならせたので、着用状態において着用者が取付部２０と比翼部５０とを確実に視認でき、着用者が取付部２０と比翼部５０との相互間に指をさらに一層入れやすくなる。
【００８８】
また、取付側内面部分２２を、取付側外面部分２１から前身頃１１又は着用者への色移りを抑制可能に構成したので、着用状態において取付側外面部分２１から前身頃１１又は着用者への色移りを抑制でき、衣服１の着用性を一層高めることができる。
【００８９】
また、取付部２０と比翼部５０との相互間に隙間Ｇが形成されるように、取付部２０及び比翼部５０を構成したので、取付部２０と比翼部５０との相互間に隙間Ｇを形成でき、着用状態において着用者が取付部２０と比翼部５０との相互間に指をスムーズに入れることができる。
【００９０】
〔ＩＩＩ〕実施の形態に対する変形例
以上、本考案に係る実施の形態について説明したが、本考案の具体的な構成及び手段は、実用新案登録請求の範囲に記載した各考案の技術的思想の範囲内において、任意に改変及び改良することができる。以下、このような変形例について説明する。
【００９１】
（解決しようとする課題や考案の効果について）
まず、考案が解決しようとする課題や考案の効果は、上述の内容に限定されるものではなく、考案の実施環境や構成の細部に応じて異なる可能性があり、上述した課題の一部のみを解決したり、上述した効果の一部のみを奏したりすることがある。
【００９２】
（形状、数値、構造、時系列について）
上記実施の形態や図面において例示した構成要素に関して、形状、数値、又は複数の構成要素の構造若しくは時系列の相互関係については、本考案の技術的思想の範囲内において、任意に改変及び改良することができる。例えば、衣服本体１０における各部は、特記する場合を除いて、上記説明とは異なる形状、方法、及び材質で製造することができる。
【００９３】
（衣服について）
上記実施の形態では、衣服１が、第１ポケット部６１、第２右側ポケット部６２、及び第２左側ポケット部６３を備えていると説明したが、これに限らない。例えば、第１ポケット部６１、第２右側ポケット部６２、又は第２左側ポケット部６３の少なくとも一部を省略してもよい。
【００９４】
また、上記実施の形態では、取付部２０及び比翼部５０が前身頃１１の左側部分１１ａに設けられ、第２接続部４０が前身頃１１の右側部分１１ｂに設けられていると説明したが、これに限らない。取付部２０及び比翼部５０が前身頃１１の右側部分１１ｂに設けられ、第２接続部４０が前身頃１１の左側部分１１ａに設けられてもよい。
【００９５】
（第１接続部、第２接続部について）
上記実施の形態では、第１接続部３０及び第２接続部４０の設置数がそれぞれ３つであると説明したが、これに限らない。例えば、３つ未満であってもよく、あるいは、４つ以上であってもよい。
【００９６】
また、上記実施の形態では、第１接続部３０が、取付部２０と視認可能に構成されていると説明したが、これに限らない。例えば、第１接続部３０が、取付部２０と視認不能に構成されてもよい。一例として、取付側外面部分２１又は取付側内面部分２２における各第１接続部３０の周辺部分の色彩が、当該周辺部分以外の部分の色彩と同一に設定されてもよい。
【００９７】
また、上記実施の形態では、第１接続部３０がボタン孔であり、第２接続部４０がボタンであると説明したが、これに限らない。例えば、第１接続部３０が雄ファスナ材であり、第２接続部４０が雌ファスナ材であってもよい。
【００９８】
（取付部について）
上記実施の形態では、取付部２０が、２層構造からなる長尺な平布状体で形成されていると説明したが、これに限らず、例えば、１層構造からなる長尺な平布状体で形成されてもよい。
【００９９】
また、上記実施の形態では、取付部２０が、比翼部５０と識別可能に構成されていると説明したが、これに限らず、例えば、比翼部５０と識別不能に構成されてもよい。一例として、取付部２０の外面部分の色彩が、比翼部５０の色彩と同一に設定されてもよい。
【０１００】
また、上記実施の形態では、取付側内面部分２２が、取付側外面部分２１から前身頃１１又は着用者への色移りを抑制可能に構成されていると説明したが、これに限らない。例えば、取付側外面部分２１から前身頃１１又は着用者への色移りを許容するように構成されてもよい。一例として、取付側内面部分２２が略メッシュ状に形成されてもよく、又は取付側外面部分２１を省略してもよい。あるいは、取付側内面部分２２が、取付側外面部分２１と略同一に構成されてもよい。
【０１０１】
また、上記実施の形態では、取付部２０の先端部が比翼部５０の先端部と面一となるように、取付部２０は配置されていると説明したが、これに限らず、例えば、取付部２０の先端部が比翼部５０の先端部よりも側方（具体的には、右方側）に向けて突出するように、取付部２０は配置されてもよい。
【０１０２】
また、上記実施の形態では、取付部２０と比翼部５０との相互間に隙間Ｇが形成されるように、取付部２０及び比翼部５０が構成されていると説明したが、これに限らない。例えば、上記隙間Ｇが形成されないように、取付部２０及び比翼部５０が構成されてもよい。一例として、取付側縫い目ＡＳの数と比翼側縫い目ＷＳの数とを同一にして、取付部２０の縫い縮み量と比翼部５０の縫い縮み量とを同じすることによって上記隙間Ｇが生じないように構成されてもよい。
【０１０３】
（比翼部について）
上記実施の形態では、比翼部５０が、２層構造からなる長尺な平布状体で形成されていると説明したが、これに限らず、例えば、１層構造からなる長尺な平布状体で形成されてもよい。
【０１０４】
また、上記実施の形態では、比翼部５０に切欠部５３が設けられていると説明したが、これに限らず、例えば、切欠部５３を省略してもよい。この場合には、取付部２０の先端部全体及びその近傍部分が外部に露出するように、取付部２０は比翼部５０よりも側方に向けて突出させて構成されてもよい。一例として、取付部２０の先端部が比翼部５０の先端部と面一とならないように、取付部２０は配置されてもよい。
【０１０５】
（付記）
付記１の衣服は、前身頃と後身頃とを有する上衣を備えた衣服であって、前記前身頃の左側部分又は右側部分のいずれか一方に設けられた取付部であって、第１接続部を取り付けるための取付部と、前記取付部に少なくとも１つ以上取り付けられる前記第１接続部と、前記前身頃の左側部分又は右側部分のいずれか他方に少なくとも１つ以上設けられる第２接続部であって、前記第１接続部と着脱自在に接続可能な第２接続部と、前記前身頃の左側部分又は右側部分のいずれか一方に設けられる比翼部であって、前記第１接続部と前記第２接続部とが接続されている接続状態において、前記第１接続部及び前記第２接続部が外部に露出しないように覆うための比翼部と、を備え、正面方向から見て前記取付部の一部が外部に露出するように、前記取付部を前記比翼部よりも側方に向けて突出させて構成した。
【０１０６】
付記２の衣服は、付記１に記載の衣服において、前記取付部を、前記比翼部と識別可能に構成した。
【０１０７】
付記３の衣服は、付記２に記載の衣服において、前記取付部の外面部分の色彩を、前記比翼部の色彩と異ならせた。
【０１０８】
付記４の衣服は、付記３に記載の衣服において、前記取付部の内面部分を、前記取付部の外面部分から前記前身頃又は当該衣服の着用者への色移りを抑制可能に構成した。
【０１０９】
付記５の衣服は、付記１から４のいずれか一項に記載の衣服において、前記取付部と前記比翼部との相互間に隙間が形成されるように、前記取付部及び前記比翼部を構成した。
【０１１０】
（付記の効果）
付記１に記載の衣服によれば、正面方向から見て取付部の一部が外部に露出するように、取付部を比翼部よりも側方に向けて突出させて構成したので、着用者が衣服を着用した着用状態において、着用者が取付部における外部に露出した部分を介して取付部と比翼部との相互間に指を入れやすくなる。よって、従来技術（取付部を外部に露出させない技術）に比べて、着用者が第１接続部と第２接続部との着脱を容易に行うことができ、衣服の着用性を高めることができる。
【０１１１】
付記２に記載の衣服によれば、取付部を、比翼部と識別可能に構成したので、上記着用状態において着用者が取付部と比翼部とを確実に識別でき、着用者が取付部と比翼部との相互間に指を一層入れやすくなる。
【０１１２】
付記３に記載の衣服によれば、取付部の外面部分の色彩を、比翼部の色彩と異ならせたので、上記着用状態において着用者が取付部と比翼部とを確実に視認でき、着用者が取付部と比翼部との相互間に指をさらに一層入れやすくなる。
【０１１３】
付記４に記載の衣服によれば、取付部の内面部分を、取付部の外面部分から前身頃又は当該衣服の着用者への色移りを抑制可能に構成したので、上記着用状態において取付部の外面部分から前身頃又は着用者への色移りを抑制でき、衣服の着用性を一層高めることができる。
【０１１４】
付記５に記載の衣服によれば、取付部と比翼部との相互間に隙間が形成されるように、取付部及び比翼部を構成したので、取付部と比翼部との相互間に隙間を形成でき、上記着用状態において着用者が取付部と比翼部との相互間に指をスムーズに入れることができる。
【符号の説明】
【０１１５】
１  衣服
１０  衣服本体
１１  前身頃
１１ａ  左側部分
１１ｂ  右側部分
１２  後身頃
１３  右袖部
１４  左袖部
１５  襟部
１６  襟口部
１７  裾口部
１８  袖口部
１９  下側開き部
２０  取付部
２１  取付側外面部分
２２  取付側内面部分
３０  第１接続部
４０  第２接続部
５０  比翼部
５１  比翼側外面部分
５２  比翼側内面部分
５３  切欠部
６１  第１ポケット部
６２  第２右側ポケット部
６３  第２左側ポケット部
Ｇ  隙間
Ｇ１  第１隙間
Ｇ２  第２隙間
Ｇ３  第３隙間
Ｇ４  第４隙間
ＡＳ  取付側縫い目
ＷＳ  比翼側縫い目
【図１】
0003229294.tif 000003
【図２】
0003229294.tif 000004
【図３】
0003229294.tif 000005